(57)【要約】【課題】基材における生体側の面に、断熱材を含浸することにより断熱面を形成し、該断熱面がカバーされて保護され、生体側の体温も利用し易い保温シートを用いた保温布団を提供することを課題とする。【解決手段】人又はその他の動物である生体の表面の保温を行う保温シートと、布団カバーを備え、前記保温シートは、フレキシブルに変更可能なシート状の基材と、通気性が確保された不織布又は織布からなるカバー体とを有し、前記布団カバーには収容部が形成され、前記基材における生体側の面には、断熱材を含浸又は塗布することにより断熱面が形成され、前記カバー体によって基材の断熱面がカバーされ、前記保温シートが前記収容部に収容された。【選択図】図２
2019018053.tif 000002
【特許請求の範囲】
【請求項１】
人又はその他の動物である生体の表面の保温を行う保温シートと、
布団カバーを備え、
前記保温シートは、フレキシブルに変更可能なシート状の基材と、通気性が確保された不織布又は織布からなるカバー体とを有し、
前記布団カバーには収容部が形成され、
前記基材における生体側の面には、断熱材を含浸又は塗布することにより断熱面が形成され、
前記カバー体によって基材の断熱面がカバーされ、
前記保温シートが前記収容部に収容された
ことを特徴とする保温布団。
【発明の詳細な説明】
【技術分野】
【０００１】
この発明は、保温シートを用いた保温布団に関する。
【背景技術】
【０００２】
人又はその他の動物である生体の表面の保温を行う保温シートであって、シート状の基材を備え、該基材における生体側の面に、断熱材を含浸することにより断熱面を形成し、該断熱面を、被覆層によって被覆した保温シートが公知になっている（例えば、特許文献１を参照。）。
【先行技術文献】
【特許文献】
【０００３】
【特許文献１】特開２００１−３２７４３７号公報（第４図）
【発明の概要】
【発明が解決しようとする課題】
【０００４】
上記文献の保温シートは、基材における生体側の面に、断熱材を含浸することにより断熱面を形成し、該断熱面を、被覆層によって被覆しているため、基材の材料に左右されずに、断熱を行うことが可能になるとともに、被覆層によって保護された断熱面は、断熱性能を維持し易くなる。
しかし、被覆層がプラスティックフィルム等によって構成されるため、生体側の体温が、断熱面まで達し難く、被覆層の表面に沿って拡散されるため、生体側からの熱を効率的に利用することが困難である。
【０００５】
本発明は、基材における生体側の面に、断熱材を含浸することにより断熱面を形成し、該断熱面がカバーされて保護され、生体側の体温も利用し易い保温シートを用いた保温布団を提供することを課題とする。
【課題を解決するための手段】
【０００６】
本発明の保温布団は、人又はその他の動物である生体の表面の保温を行う保温シートと、布団カバーを備え、前記保温シートは、フレキシブルに変更可能なシート状の基材と、通気性が確保された不織布又は織布からなるカバー体とを有し、前記布団カバーには収容部が形成され、前記基材における生体側の面には、断熱材を含浸又は塗布することにより断熱面が形成され、前記カバー体によって基材の断熱面がカバーされ、前記保温シートが前記収容部に収容されたことを特徴とする。
【発明の効果】
【０００７】
通気性が確保された不織布又は織布からなるカバー体によって、基材の断熱面がカバーされるため、生体側の体温が、カバー体を通り抜けて断熱面に達して留まるか、或いは生体側に熱反射され易くなり、保温の際に生体側の熱を効率的に利用できる。
【図面の簡単な説明】
【０００８】
【図１】本発明を適用した敷布団の平面図である。
【図２】図１のＡ−Ａ断面図である。
【図３】図１のＢ−Ｂ断面図である。
【図４】（Ａ）は、本発明を適用した保温シートの片面側の説明図であり、（Ｂ）はもう片面側の説明図である。
【図５】図４（Ａ）のＣ−Ｃ断面図である。
【図６】保温シートの他の構成例を示す断面図である。
【発明を実施するための形態】
【０００９】
図１は、本発明を適用した敷布団の平面図であり、図２は、図１のＡ−Ａ断面図であり、図３は、図１のＢ−Ｂ断面図である。これらの図面に示す敷布団（保温布団）１は、敷布団カバー（布団カバー）２と、敷布団カバー２に形成された収容部３に取出可能に収容された方形板状の保温シート４とを備えている。
【００１０】
敷布団カバー２は、十分な通気性と通水性が確保された布製の袋体である。具体的には、敷布団カバー２は、一枚又は複数枚のフレキシブルに変更可能な布同士を、縫合又は接着等によって、部分的に接合することにより、就寝者（生体）の身長方向に延びる袋状に成形される。言換えると、敷布団１及び敷布団カバー２は、全長方向（図１に示すＹ方向）が就寝者の身長方向に設定され、それに直交する方向が幅方向（図１に示すＸ方向）となる。
【００１１】
この敷布団カバー２の袋状の内部は、対向する布同士を縫合又は接着等することによって形成される幅方向（Ｘ方向）の仕切部２ａによって複数に仕切られ、これによって複数の袋状部２ｂが形成され、各袋状部２ｂ内には収容部３が形成されている。
【００１２】
収容部３（袋状部２ｂ）は、Ｙ方向に複数並列されている。各収容部３におけるＸ方向の一方側の端部又は両側の端部には、保温シート４を該収容部３に取出可能に差込挿入する挿入部３ａが形成される。
【００１３】
この挿入部３ａは、ベルベットファスナーやボタン等の図示しない係合具によって、対向部同士を、係脱可能に係合させることにより閉じられる。挿入部３ａが閉じられた状態では、保温シート４の収容部３への収容や、収容部３内からの取出しが規制（禁止）される一方で、開かれた状態では、挿入部３ａを介して、保温シート４の収容部３からの出し入れが可能になる。
【００１４】
敷布団カバー２における足元側の端部に位置する保温シート４及びこれを収容する収容部３を内部に有する袋状部２ｂ（足元側上掛部６）を、隣接する保温シート４及びこれを収容する収容部３を内部に有する袋状部２ｂ（足元側下敷部７）の上面側に折重ねることにより、この足元側上掛部６と足元側下敷部７との間には、就寝者の足を差し入れるスペースが形成される。言換えると、展開した状態において、足元側上掛部６における上方を向いた面は、上記のようにして折重ねた状態では、下方を向いた状態になる。
【００１５】
なお、この足元側上掛部６における足元側下敷部７との接続部分から遠い側の端部（先端部）を、帯状の連結体８によって、敷布団カバー２のその他の部分（具体的には、仕切部２ａ）に連結し、これによって、足元側上掛部６が折重ねた状態で保持される。ちなみに、連結体８は、敷布団カバー２の幅方向の両端側にそれぞれ設けられている。
【００１６】
敷布団カバー２の頭部側の端部に位置する保温シート４及びこれを収容する収容部３を内部に有する袋状部２ｂ（頭部側下敷９）は、その隣に位置する保温シート４及びこれを収容する収容部３を内部に有する袋状部２ｂ（被折重ね部１１）の上面側に、折重ねる。言換えると、展開した状態では、頭部側下敷９の上方を向いた面が、折重ねた状態では、下方を向いた状態になる。
【００１７】
また、頭部側下敷９のＹ方向の長さは、被折重ね部１１のＹ方向の長さに比べて短いため、このようにして重合せた場合、被折重ね部１１と頭部側下敷９とが全体ではラップせずに、部分的にラップした状態になる。
【００１８】
次に、図１乃至５に基づき、保温シート４の構成について詳述する。
【００１９】
図４（Ａ）は、本発明を適用した保温シートの片面側の説明図であり、（Ｂ）はもう片面側の説明図であり、図５は、図４（Ａ）のＣ−Ｃ断面図である。保温シート４は、フレキシブルに変形可能な方形シート状の基材１２と、該基材１２の少なくとも片面側を密着状態でカバーするカバー（カバー体）１３とを有している。
【００２０】
基材１２を構成する材料としては、繊維を撚って糸にしたものを織ってつくる織布や、繊維を織らずに絡み合わせてシート状にした不織布や、動物の毛や化学繊維を薄く板状に圧縮してつくるシート状のフェルトや、植物などの長い繊維を絡ませながら薄くシート状にした和紙等を用いる。これらの材料によって構成される基材１２は、曲げ伸ばし自在で破損し難く、十分な通気性及び通水性を有しているため、皮膚からの発汗を短時間に蒸発させることができ、さらに洗濯も行い易い。
【００２１】
この基材１２の片面側に、断熱材を塗布するか、或いは含浸させることにより、断熱層１４を形成し、これによって基材１２の断熱層１４を形成させた側の面が断熱面１４ａになる。
【００２２】
断熱材は、アルミノ珪酸ソーダガラスと、顔料と、樹脂エマルジョンと、分散剤と、粘着剤等を配合し、水を加えて撹拌混合することによって得られる白色の溶液である。
【００２３】
アルミノ珪酸ソーダガラスは、粒径が１０〜５０μｍとなる中空ビーズ構造であり、アルミノ珪酸ソーダガラスの含有量は、断熱材の全重量の１０〜２０重量％である。ちなみに、アルミノ珪酸ソーダガラスの含有量が１０重量％未満の場合には、断熱性能が低下し、２０重量％を超えると、基材への付着力が低下するため、含有量を上記のように設定してある。
【００２４】
顔料は光を反射する白色の二酸化チタンであり、樹脂エマルジョンは水溶性のアクリルエマルジョン樹脂であり、上記分散剤は、アルミノ珪酸ソーダガラスと、顔料と、樹脂エマルジョンとからなる成分材料の混合を均一にするためのものであり、粘着剤は均一に混合された上記成分材料の分離や沈殿を抑制するためのものである。
【００２５】
これらを混合した液状の断熱材を、ノズルから噴射等によって、基材１２の片面に均一に塗布した後に、乾燥させると、断熱材は、基材１２の表面から所定深さまで含浸されて上記断熱層１４を形成する。ちなみに、基材１２に断熱材を塗布する際は、塗布する側の面を上方に向けて塗布し、乾燥時もその状態を保持する。
【００２６】
すなわち、断熱材は、断熱塗料であり、基材１２の表面に塗布して含浸させることにより、折り曲げ等に強く、耐久性の高い断熱層１４を、基材１２の表層に形成している。このため、基材１２も、断熱塗料を含浸させることが可能なように、上記のような材料から構成されている。
【００２７】
なお、基材１２を液状の断熱材に浸漬させることにより、該基材１２に断熱材を含浸させてもよい。この他、断熱塗料を、基材１２の表面に塗布するのみでもよい。この場合、基材１２の断熱材を含浸させる必要はなくなるため、基材１２は、液体に対して浸透性を確保する必要がなくなるため、材料の選択の自由度は向上する。
【００２８】
カバー１３は、通気性や通水性が確保された織布又は不織布から構成される。該カバー１３は、基材１２の断熱面１４ａから、側端該基材１２の断熱面１４ａと反対側の面である非断熱面１２ａの４つの辺部に至る範囲をカバーしている。
【００２９】
さらに、カバー１３の具体的な構成を説明すると、カバー１３の表面の少なくとも一部（本例では全体）は、カバー１３を構成する材料がそのまま露出し、通気性や通水性を妨げる顔料やその他の層が形成されていない。
【００３０】
そして、断熱面１４ａが就寝者側に向けられた姿勢の保温シート４を、該就寝者の身体に近づけると、就寝者の体温が、敷布団カバー２及びカバー１３を通って断熱面１４ａまで達し、その場で留まるか、或いは生体側に反射されるため、断熱面１４ａと就寝者との間の空間が、心地よい温度に保たれる。
【００３１】
カバー１３の基材１２への固定手段について更に説明すると、カバー１３を、断熱面１４ａの全体に面状に接触（さらに具体的には密着）させた状態で、基材１２に接着又は縫合している。
【００３２】
具体的には、カバー１３にウレタン接着剤等のホットメルトを含浸させ、これを、高温（さらに具体的には、１２０〜１６０℃程度）のアイロン又は金属板によって、基材１２の接着部分（断熱面１４ａ全体及び非断熱面１２ａの四辺部）に、加熱しながら圧着させる（ホットプレス加工する）ことにより、カバー１３を基材１２に接着させるか、或いは、ミシン等によって、基材１２とカバー１３とを、千鳥格子状に縫い合せる。さらには、接着と縫合を組合せて、カバー１３を基材１２に取付けてもよい。
【００３３】
該構成の保護シート４は、基本的には、就寝者側に断熱面１４ａを向けた姿勢（具体的には、断熱面１４ａが上面となる姿勢）で、敷布団カバー２の収容部３に収容される。
【００３４】
ちなみに、折重ねた状態の足元側上掛部６は、下面が就寝者側の面になるため、折重ねた状態で、足元側上掛部６の保温シート４の断熱面１４ａが下方を向く姿勢で、該保温シート４が、この足元側上掛部６の収容部３に収容されている。
【００３５】
一方、頭部側下敷９は、折重ねられた状態で、その上面側に、就寝者の頭部に位置させて使用するが、頭部は保温する必要性が低いため、折重ね状態の頭部側下敷９の保温シート４の断熱面１４ａが下方を向くようにして、該保温シート４が、頭部側下敷９の収容部３に収容されている。
【００３６】
該構成の敷布団１によれば、就寝者側へ断熱面１４ａを向けた保温シート４が、該就寝者に近接した状態になるため、就寝者の体温が、空気の流れにより、敷布団カバー２及びカバー１３を通り抜けて、該断熱面１４ａまで達し、その場で留まるか、或いは、就寝者側まで反射するため、保温シート４と就寝者との間の空間が適切な温度に加温又は保温される。
【００３７】
また、就寝者の保温する必要がない部分に位置している保温シート４は、非断熱面１２ａを、就寝者側に向けることによって、不快に保温されることがないようにしているため、就寝者はより心地よく眠ることが可能になる。ちなみに、頭部以外でも、腰や足等、保温する必要がない場合には、その部分の保温シート４の非断熱面１２ａを、就寝者側に向けるようにしてもよい。
【００３８】
また、この保温シート４は、フレキシブルに変更可能な基材１２に断熱塗料を塗布して含浸させることによって、断熱層１４を形成し、この断熱層１４を、カバー１３でカバーして保護しているため、捻りや、曲げを加えるか、或いは洗濯を行っても、破損や剥離のリスクが少なく、高い耐久性を期待できる。
【００３９】
さらに、微細なアルミノ珪酸ソーダガラスは、無数に積層され、且つ断熱面１４ａに沿って平面的にも連鎖した状態になるため、断熱層１４に達した熱は、アルミノ珪酸ソーダガラスの表面で反射され、これによって、透過が抑制されるとともに、アルミノ珪酸ソーダガラスの中空部によって、断熱面１４に沿った平面的な対流熱や伝導熱も抑制される。
【００４０】
ちなみに、アルミノ珪酸ソーダガラスが断熱面１４ａに沿って平面的に連鎖する原因について考察すると、該アルミノ珪酸ソーダガラスは中空ビーズ構造であり、且つ断熱塗料（断熱材）が流動性を有する液状であるため、基材１２に塗布された断熱塗料中のアルミノ珪酸ソーダガラスには、乾燥するまでの間、浮力が作用する。この浮力によって、上記アルミノ珪酸ソーダガラスは、断熱塗料の上面側の表層（すなわち、断熱面１４ａ側）に集積される。
【００４１】
これが、アルミノ珪酸ソーダガラスが断熱面１４ａに沿って平面的に連鎖する原因の１つと考えられる。これに加えて、断熱塗料は、上記した通り、乾燥の過程で、基材１２に含浸されるため、基材１２の繊維の１本１本に付着した状態になる。
【００４２】
このような状態では、生体側からの熱が、カバー１３を介して、輻射熱の状態で、アルミノ珪酸ソーダガラスに達し、該アルミノ珪酸ソーダガラスを生体の体温と同程度まで上昇させる。このアルミノ珪酸ソーダガラスは、前記温度上昇に伴って、微量の遠赤外線を、生体側に放射するようになり、これが熱反射の現象となって、生体を心地よく加温する。
【００４３】
ただし、保温シート４（特に、断熱面１４ａ側）が、生体からの汗や衣類に付着した異物によって、汚れた場合、アルミノ珪酸ソーダガラスの表面に汚れが付着して被膜が形成される。この被膜は、上記遠赤外線を吸収し、保温シート４の上記熱反射の効率を低下させる。
【００４４】
これを防止するためには、保温シート４を洗濯し、アルミノ珪酸ソーダガラスの表面に形成された汚れの被膜を除去する必要がある。カバー１３によって断熱面１４ａがカバーされるとともに、基材１２が通水性に優れた繊維によって構成されているため、保温シート４を洗濯した場合、基材１２からの断熱塗料の剥離や、基材１２破損が防止されるとともに、基材１２の繊維の１本１本から、汚れを除去できる。
【００４５】
以上により、保温シート４を繰返し洗濯することが可能であり、各洗濯において、アルミノ珪酸ソーダガラスの表面に形成された汚れの被膜を確実に除去し、これによって、保温シート４の熱反射の効率を元に戻す（再生を行う）ことが可能になる。
【００４６】
なお、保温シート４は、掛け布団に適用してもよい他、その他の枕等の寝具に用いてもよく、さらには、膝掛、帽子、靴中敷き、パットその他の装着用具、着座シートに用いてもよい他、人のみならず、犬や猫等のその他の動物に用いてもよい。この際、生体の保温する箇所に配置された保温シート４は、断熱面１４ａを生体に向けた姿勢で、該生体に近づけて使用する。
【００４７】
次に、図６に基づき、保温シートの他の実施形態について、上述の形態と異なる点を説明する。
【００４８】
図６は、保温シートの他の構成例を示す断面図である。同図に示す保温シート４は、基材１２の全体に断熱塗料を含浸させることにより、基材１２の全体を断熱層１４とし、その両面を、それぞれ断熱面１４ａとし、各断熱面１４ａを、カバー１３によってカバーしている。この際、基材１２の全体に断熱塗料を含浸し易くするため、上述のものと比較して、基材１２の厚みを薄く設定してもよい。
【符号の説明】
【００４９】
１  敷布団（保温布団）
２  敷布団カバー（布団カバー）
２ａ  仕切部
３  収容部
４  保温シート
１２  基材
１２ａ  非断熱面
１３  カバー（カバー体）
１４ａ  断熱面
【図１】
2019018053.tif 000003
【図２】
2019018053.tif 000004
【図３】
2019018053.tif 000005
【図４】
2019018053.tif 000006
【図５】
2019018053.tif 000007
【図６】
2019018053.tif 000008